(57)【特許請求の範囲】
【請求項１】
底部枠（２）と、中間部枠（３）と、堤冠部枠（４）と、後部枠（５）から構成されていることを特徴とする木製谷止枠。
底部枠（２）は、底部自在パネル（２Ａ）が二枚と、結合ボルト（２Ｂ）から構成され、
Ａ．底部自在パネル（２Ａ）は、底部正面パネル（２Ｃ）と、底部側面パネル（２Ｄ）と、通しボルト（２Ｅ）により構成され、
底部正面パネル（２Ｃ）は、丸太、丸棒、角材等の木製柱状部材でなる横成木群（２Ｃ１）と、縦成木群（２Ｃ２）と、エキスパンドメタル・金網・プラスチックネット・吸出し防止材等の流出防止材（２Ｃ３）から構成され、横成木群（２Ｃ１）は、上部横成木（２Ｃ１１）と、前後連結横成木（２Ｃ１２）と、下部横成木（２Ｃ１４）と、その間に適数本の横成木（２Ｃ１３、２Ｃ１３．．．）が所定間隔（Ｈ）を存して並列状態に配列され、前後連結横成木（２Ｃ１２）には、枠同士の前後連結用孔（２Ｇ１）が前後方向に開設され、各横成木群（２Ｃ１）の左端近傍には、底部自在パネル（２Ａ）同士の結合孔（２Ｊ）が開設され、流出防止材（２Ｃ３）は、横成木群（２Ｃ１）の後面に釘、タッカー等で固定され、縦成木群（２Ｃ２）は、少なくとも１本以上の縦成木（２Ｃ２１）が、横成木群（２Ｃ１）に対して直角方向に、横成木群（２Ｃ１）の長さの概ね何等分かの位置で流出防止材（２Ｃ３）の後面に配列され、ボルト等で横成木群（２Ｃ１）と固着され、さらに、この縦成木群（２Ｃ２）の上端は、上部横成木（２Ｃ１１）の上面より上方へ突出され、縦成木群（２Ｃ２）の上端近傍位置には枠同士を上下に連結する場合の上下連結用孔（２Ｉ）が前後方向に開設されていること。
底部側面パネル（２Ｄ）は、丸太、丸棒、角材等の木製柱状部材でなる横成木群（２Ｄ１）と、縦成木群（２Ｄ２）と、エキスパンドメタル・金網・プラスチックネット・吸出し防止材等の流出防止材（２Ｄ３）と、コーナー金物（２Ｄ４）から構成され、横成木群（２Ｄ１）は、上部横成木（２Ｄ１１）と、左右連結横成木（２Ｄ１２）と、下部横成木（２Ｄ１４）と、その間に適数本の横成木（２Ｄ１３、２Ｄ１３．．．）が所定間隔（Ｈ）を存して並列状態に配列され、左右連結横成木（２Ｄ１２）には、枠同士の左右連結用孔（２Ｇ２）が前後方向に開設され、流出防止材（２Ｄ３）は、横成木群（２Ｄ１）の後面に釘、タッカー等で固定され、縦成木群（２Ｄ２）は、少なくとも１本以上の縦成木（２Ｄ２１）が、横成木群（２Ｄ１）に対して直角方向に、横成木群（２Ｄ１）の長さの概ね何等分かの位置で流出防止材（２Ｄ３）の後面に配列され、ボルト等で横成木群（２Ｄ１）と固着され、この縦成木群（２Ｄ２）の上端は、上部横成木（２Ｄ１１）の上面より上方へ突出され、コーナー金物（２Ｄ４）は、底部側面パネル（２Ｄ）の横成木群（２Ｄ１）の後面右端近傍位置に、横成木群（２Ｄ１）に対して直角方向に、ボルトなどで横成木群（２Ｄ１）と固着され、コーナー金物（２Ｄ４）の横成木群（２Ｄ１）との固着面と直角の面には、底部自在パネル（２Ａ）同士の結合のための結合孔（２Ｄ４１）が前後方向に開設され、底部正面パネル（２Ｃ）と底部側面パネル（２Ｄ）とは、通しボルト（２Ｅ）により折り畳み自在に結合されていること。
Ｂ．一方の底部自在パネル（２Ａ）と他方の底部自在パネル（２Ａ）を、通しボルトを中心に平面略Ｌ字状に開き、互いに有するコーナー金物に互いの横成木群の結合孔を結合ボルト（２Ｂ）により結合すること。
中間部枠（３）は、中間部自在パネル（３Ａ）が二枚と、結合ボルト（３Ｂ）から構成され、
Ａ．中間部自在パネル（３Ａ）は、中間部正面パネル（３Ｃ）と、中間部側面パネル（３Ｄ）と、通しボルト（３Ｅ）により構成され、
中間部正面パネル（３Ｃ）は、丸太、丸棒、角材等の木製柱状部材でなる横成木群（３Ｃ１）と、縦成木群（３Ｃ２）と、エキスパンドメタル・金網・プラスチックネット・吸出し防止材等の流出防止材（３Ｃ３）から構成され、横成木群（３Ｃ１）は、上部横成木（３Ｃ１１）と、上下連結横成木（３Ｃ１４）と、その間に適数本の横成木（３Ｃ１３、３Ｃ１３、３Ｃ１３．．．）が所定間隔（Ｈ）を存して並列状態に配列され、上下連結横成木（３Ｃ１４）には、枠同士の上下連結用孔（３Ｇ１）が前後方向に開設され、各横成木群（３Ｃ１）の左端近傍には、中間部自在パネル（３Ａ）同士の結合孔（３Ｊ）が開設され、流出防止材（３Ｃ３）は、横成木群（３Ｃ１）の後面に釘、タッカー等で固定され、縦成木群（３Ｃ２）は、少なくとも１本以上の縦成木（３Ｃ２１）が、横成木群（３Ｃ１）に対して直角方向に、横成木群（３Ｃ１）の長さの概ね何等分かの位置で、流出防止材（３Ｃ３）の後面に配列され、ボルト等で横成木群（３Ｃ１）と固着され、この縦成木群（３Ｃ２）の上端は、上部横成木（３Ｃ１１）の上面より上方へ突出され、縦成木群（３Ｃ２）の上端近傍位置には枠同士を上下に連結する場合の上下連結用孔（３Ｉ）が前後方向に開設されていること。
中間部側面パネル（３Ｄ）は、丸太、丸棒、角材等の木製柱状部材でなる横成木群（３Ｄ１）と、縦成木群（３Ｄ２）と、エキスパンドメタル・金網・プラスチックネット・吸出し防止材等の流出防止材（３Ｄ３）と、コーナー金物（３Ｄ４）から構成され、横成木群（３Ｄ１）は、上部横成木（３Ｄ１１）と、左右連結横成木（３Ｄ１２）と、下部横成木（３Ｄ１４）と、その間に適数本の横成木（３Ｄ１３、３Ｄ１３．．．）が所定間隔（Ｈ）を存して並列状態に配列され、そして、左右連結横成木（３Ｄ１２）には、枠同士の左右連結用孔（３Ｇ２）が前後方向に開設され、流出防止材（３Ｄ３）は、横成木群（３Ｄ１）の後面に釘、タッカー等で固定され、縦成木群（３Ｄ２）は、少なくとも１本以上の縦成木（３Ｄ２１）が、横成木群（３Ｄ１）に対して直角方向に、横成木群（３Ｄ１）の長さの概ね何等分かの位置で流出防止材（３Ｄ３）の後面に配列され、ボルト等で横成木群（３Ｄ１）と固着され、この縦成木群（３Ｄ２）の上端は、上部横成木（３Ｄ１１）の上面より上方へ突出され、コーナー金物（３Ｄ４）は、中間部側面パネル（３Ｄ）の横成木群（３Ｄ１）の後面右端近傍位置に、横成木群（３Ｄ１）に対して直角方向に、ボルトなどで横成木群（３Ｄ１）と固着され、コーナー金物（３Ｄ４）の横成木群（３Ｄ１）との固着面と直角の面には、中間部自在パネル（３Ａ）同士の結合のための結合孔（３Ｄ４１）が前後方向に開設され、中間部正面パネル（３Ｃ）と中間部側面パネル（３Ｄ）とは、通しボルト（３Ｅ）により折り畳み自在に結合されていること。
Ｂ．一方の中間部自在パネル（３Ａ）と他方の中間部自在パネル（３Ａ）を、通しボルトを中心に平面略Ｌ字状に開き、互いに有するコーナー金物に互いの横成木群の結合孔を結合ボルト（３Ｂ）により結合すること。
堤冠部枠（４）は、堤冠部自在パネル（４Ａ）が二枚と、結合ボルト（４Ｂ）から構成され、
Ａ．堤冠部自在パネル（４Ａ）は、堤冠部正面パネル（４Ｃ）と、堤冠部側面パネル（４Ｄ）と、通しボルト（４Ｅ）により構成され、
堤冠部正面パネル（４Ｃ）は、丸太、丸棒、角材等の木製柱状部材でなる横成木群（４Ｃ１）と、縦成木群（４Ｃ２）と、エキスパンドメタル・金網・プラスチックネット・吸出し防止材等の流出防止材（４Ｃ３）から構成され、横成木群（４Ｃ１）は、上部横成木（４Ｃ１１）と、上下連結横成木（４Ｃ１４）と、その間の適数本の横成木（４Ｃ１３、４Ｃ１３、４Ｃ１３．．．）が所定間隔（Ｈ）を存して並列状態に配列され、上部横成木（４Ｃ１１）には堤冠保護材（６１）との緊結用孔（４Ｌ）が適数個上下方向に開設され、上下連結横成木（４Ｃ１４）には、上下連結横成木（４Ｃ１４）の概ね何等分かの位置に、少なくとも２個以上の枠同士の上下連結用孔（４Ｇ１）が前後方向に開設され、横成木群（４Ｃ１）の左端近傍には、堤冠部自在パネル（４Ａ）同士の結合孔（４Ｊ）が開設され、流出防止材（４Ｃ３）は、横成木群（４Ｃ１）の後面に釘、タッカー等で固定され、縦成木群（４Ｃ２）は、少なくとも１本以上の縦成木（４Ｃ２１）が、横成木群（４Ｃ１）に対して直角方向に、横成木群（４Ｃ１）の長さの概ね何等分かの位置で流出防止材（４Ｃ３）の後面に配列され、ボルト等で横成木群（４Ｃ１）と固着されていること。
堤冠部側面パネル（４Ｄ）は、丸太、丸棒、角材等の木製柱状部材でなる横成木群（４Ｄ１）と、縦成木群（４Ｄ２）と、エキスパンドメタル・金網・プラスチックネット・吸出し防止材等の流出防止材（４Ｄ３）と、コーナー金物（４Ｄ４）から構成され、横成木群（４Ｄ１）は、上部横成木（４Ｄ１１）と、左右連結横成木（４Ｄ１２）と、下部横成木（４Ｄ１４）と、その間に適数本の横成木（４Ｄ１３、４Ｄ１３．．．）が所定間隔（Ｈ）を存して並列状態に配列され、左右連結横成木（４Ｄ１２）には、左右連結横成木（４Ｄ１２）の概ね何等分かの位置に、少なくとも２個以上の枠同士の左右連結用孔（４Ｇ２）が前後方向に開設され、流出防止材（４Ｄ３）は、横成木群（４Ｄ１）の後面に釘、タッカー等で固定され、縦成木群（４Ｄ２）は、少なくとも１本以上の縦成木（４Ｄ２１）が、横成木群（４Ｄ１）に対して直角方向に、横成木群（４Ｄ１）の長さの概ね何等分かの位置で流出防止材（４Ｄ３）の後面に配列され、ボルト等で横成木群（４Ｄ１）と固着され、コーナー金物（４Ｄ４）は、堤冠部側面パネル（４Ｄ）の横成木群（４Ｄ１）の後面右端近傍位置に、横成木群（４Ｄ１）に対して直角方向に、ボルトなどで横成木群（４Ｄ１）と固着され、コーナー金物（４Ｄ４）の横成木群（４Ｄ１）との固着面と直角の面には、堤冠部自在パネル（４Ａ）同士の結合のための結合孔（４Ｄ４１）が前後方向に開設され、堤冠部正面パネル（４Ｃ）と堤冠部側面パネル（４Ｄ）とは、通しボルト（４Ｅ）により折り畳み自在に結合されていること。
Ｂ．一方の堤冠部自在パネル（４Ａ）と他方の堤冠部自在パネル（４Ａ）を、通しボルトを中心に平面略Ｌ字状に開き、互いに有するコーナー金物に互いの横成木群の結合孔を結合ボルト（４Ｂ）により結合すること。
後部枠（５）は、後部自在パネル（５Ａ）が２枚と、結合ボルト（５Ｂ）から構成され、
Ａ．後部自在パネル（５Ａ）は、後部正面パネル（５Ｃ）と、後部側面パネル（５Ｄ）と、通しボルト（５Ｅ）により構成され、
後部正面パネル（５Ｃ）は、丸太、丸棒、角材等の木製柱状部材でなる横成木群（５Ｃ１）と、縦成木群（５Ｃ２）と、エキスパンドメタル・金網・プラスチックネット・吸出し防止材等の流出防止材（５Ｃ３）から構成され、横成木群（５Ｃ１）は、上部横成木（５Ｃ１１）と、前後連結横成木（５Ｃ１２）と、下部横成木（５Ｃ１４）と、その間に適数本の横成木（５Ｃ１３、５Ｃ１３．．．）が所定間隔（Ｈ）を存して並列状態に配列され、前後連結横成木（５Ｃ１２）には、前後連結横成木（５Ｃ１２）の概ね何等分かの位置に、少なくとも２個以上の枠同士の前後連結用孔（５Ｇ１）が前後方向に開設され、横成木群（５Ｃ１）の左端近傍位置には、後部自在パネル（５Ａ）同士の結合孔（５Ｊ）が開設され、流出防止材（５Ｃ３）は、横成木群（５Ｃ１）の後面に釘、タッカー等で固定され、縦成木群（５Ｃ２）は、少なくとも１本以上の縦成木（５Ｃ２１）が、横成木群（５Ｃ１）に対して直角方向に、横成木群（５Ｃ１）の長さの概ね何等分かの位置で、流出防止材（５Ｃ３）の後面に配列されボルト等で横成木群（５Ｃ１）と固着され、この縦成木群（５Ｃ２）の上端は、上部横成木（５Ｃ１１）の上面より上方へ突出されていること。
後部側面パネル（５Ｄ）は、丸太、丸棒、角材等の木製柱状部材でなる横成木群（５Ｄ１）と、縦成木群（５Ｄ２）と、エキスパンドメタル・金網・プラスチックネット・吸出し防止材等の流出防止材（５Ｄ３）と、コーナー金物（５Ｄ４）から構成され、横成木群（５Ｄ１）は、上部横成木（５Ｄ１１）と、左右連結横成木（５Ｄ１２）と、下部横成木（５Ｄ１４）と、その間に適数本の横成木（５Ｄ１３、５Ｄ１３．．．）が所定間隔（Ｈ）を存して並列状態に配列され、左右連結横成木（５Ｄ１２）には、左右連結横成木（５Ｄ１２）の概ね何等分かの位置に、少なくとも２個以上の枠同士の左右連結用孔（５Ｇ２）が前後方向に開設され、流出防止材（５Ｄ３）は横成木群（５Ｄ１）の後面に釘、タッカー等で固定され、縦成木群（５Ｄ２）は、少なくとも１本以上の縦成木（５Ｄ２１）が、横成木群（５Ｄ１）に対して直角方向に、横成木群（５Ｄ１）の長さの概ね何等分かの位置で流出防止材（５Ｄ３）の後面に配列され、ボルト等で横成木群（５Ｄ１）と固着され、コーナー金物（５Ｄ４）は、後部側面パネル（５Ｄ）の横成木群（５Ｄ１）の後面右端近傍位置に、横成木群（５Ｄ１）に対して直角方向に、ボルトなどで横成木群（５Ｄ１）と固着され、コーナー金物（５Ｄ４）の横成木群（５Ｄ１）との固着面と直角の面には、後部自在パネル（５Ａ）同士の結合のための結合孔（５Ｄ４１）が前後方向に開設され、後部正面パネル（５Ｃ）と、後部側面パネル（５Ｄ）とは、通しボルト（５Ｅ）により折り畳み自在に結合されていること。
Ｂ．一方の後部自在パネル（５Ａ）と他方の後部自在パネル（５Ａ）を、通しボルトを中心に平面略Ｌ字状に開き、互いに有するコーナー金物に互いの横成木群の結合孔を結合ボルト（５Ｂ）により結合すること。
【請求項２】
木製柱状部材には間伐材が使用されている請求項１記載の木製谷止枠。
【請求項３】
木製柱状部材は燻煙で処理されている請求項１あるいは請求項２記載の木製谷止枠。
【発明の詳細な説明】
【０００１】
【発明の属する技術分野】
本発明は、木製谷止枠と、この木製谷止枠を用いて得た谷止に係るものであり、詳しくは、丸太、丸棒、角材等の木製柱状部材をパネル化し、現場に搬入した後、枠組みした木枠体を多数個配列、あるいは積み上げすることにより、渓床（谷底）の洗掘に伴なう土砂の移動を防止し、渓床、渓岸の安定を図る為の谷止工に使用することのできるものである。
【０００２】
【従来の技術】
従来、治山・砂防事業における渓床（谷底）の安定・固定には、コンクリートの積み上げによる工事や現場打ちによるコンクリート製の構造物が殆どであった。
また、鋼製や木製による構造物も一部ではみられる。
【０００３】
【発明が解決しようとする課題】
従来の技術で述べたものにあっては、下記のような問題点を有していた。
１．近年、自然環境の保護保全とともに、自然景観確保の機運が高まり、強度と機能性のみを追及したコンクリート構造物においても、自然環境との調和が大きな課題となっている。
２．鋼製枠を使用したものは、耐久性が高く、また、自然との調和もコンクリート構造物に比較すれば容易であるといえるが、コスト的には高価であり、鋼材を使用する故に自然との調和にも限界があった。
３．木製によるものは、自然との調和という点では優れているが、現場での組み立て・施工に時間と人工を要しコスト的に高価なものが殆どであった。また、木製であるが故にその耐久性にも限界があった。
本発明は、従来の技術の有するこのような問題点に鑑みなされたものであり、その目的とするところは、次のようなことのできるものを提供しようとするものである。
すなわち、本発明のものは、自然環境との調和・融和を最優先し、丸太、丸棒、角材等の木製柱状部材、特に林業生産において必然的に発生する間伐材の有効活用を図るとともに、現場での組立が容易であり、さらに現場での採掘土の活用も可能であることによって、安価でかつ渓床（谷底）の安定、固定に適した構造のものである。
【０００４】
【課題を解決するための手段】
上記目的を達成するために、本発明は下記のようになるものである。
本発明は、下記の条件を有する底部枠２と、中間部枠３と、堤冠部枠４と、後部枠５から構成されている木製谷止枠である。
１．底部枠２は、底部自在パネル２Ａが二枚と、結合ボルト２Ｂから構成され、
Ａ．底部自在パネル２Ａは、底部正面パネル２Ｃと、底部側面パネル２Ｄと、通しボルト２Ｅにより構成され、
ａ．底部正面パネル２Ｃは、丸太、丸棒、角材等の木製柱状部材でなる横成木群２Ｃ１と、縦成木群２Ｃ２と、エキスパンドメタル・金網・プラスチックネット・吸出し防止材等の流出防止材２Ｃ３から構成され、横成木群２Ｃ１は、上部横成木２Ｃ１１と、前後連結横成木２Ｃ１２と、下部横成木２Ｃ１４と、その間に適数本の横成木２Ｃ１３、２Ｃ１３．．．が所定間隔Ｈを存して並列状態に配列され、前後連結横成木２Ｃ１２には、枠同士の前後連結用孔２Ｇ１が前後方向に開設され、各横成木群２Ｃ１の左端近傍には、底部自在パネル２Ａ同士の結合孔２Ｊが開設され、流出防止材２Ｃ３は、横成木群２Ｃ１の後面に釘、タッカー等で固定され、縦成木群２Ｃ２は、少なくとも１本以上の縦成木２Ｃ２１が、横成木群２Ｃ１に対して直角方向に、横成木群２Ｃ１の長さの概ね何等分かの位置で流出防止材２Ｃ３の後面に配列され、ボルト等で横成木群２Ｃ１と固着され、さらに、この縦成木群２Ｃ２の上端は、上部横成木２Ｃ１１の上面より上方へ突出され、縦成木群２Ｃ２の上端近傍位置には枠同士を上下に連結する場合の上下連結用孔２Ｉが前後方向に開設されていること。
ｂ．底部側面パネル２Ｄは、丸太、丸棒、角材等の木製柱状部材でなる横成木群２Ｄ１と、縦成木群２Ｄ２と、エキスパンドメタル・金網・プラスチックネット・吸出し防止材等の流出防止材２Ｄ３と、コーナー金物２Ｄ４から構成され、横成木群２Ｄ１は、上部横成木２Ｄ１１と、左右連結横成木２Ｄ１２と、下部横成木２Ｄ１４と、その間に適数本の横成木２Ｄ１３、２Ｄ１３．．．が所定間隔Ｈを存して並列状態に配列され、左右連結横成木２Ｄ１２には、枠同士の左右連結用孔２Ｇ２が前後方向に開設され、流出防止材２Ｄ３は、横成木群２Ｄ１の後面に釘、タッカー等で固定され、縦成木群２Ｄ２は、少なくとも１本以上の縦成木２Ｄ２１が、横成木群２Ｄ１に対して直角方向に、横成木群２Ｄ１の長さの概ね何等分かの位置で流出防止材２Ｄ３の後面に配列され、ボルト等で横成木群２Ｄ１と固着され、この縦成木群２Ｄ２の上端は、上部横成木２Ｄ１１の上面より上方へ突出され、コーナー金物２Ｄ４は、底部側面パネル２Ｄの横成木群２Ｄ１の後面右端近傍位置に、横成木群２Ｄ１に対して直角方向に、ボルトなどで横成木群２Ｄ１と固着され、コーナー金物２Ｄ４の横成木群２Ｄ１との固着面と直角の面には、底部自在パネル２Ａ同士の結合のための結合孔２Ｄ４１が前後方向に開設され、底部正面パネル２Ｃと底部側面パネル２Ｄとは、通しボルト２Ｅにより折り畳み自在に結合されていること。
Ｂ．一方の底部自在パネル２Ａと他方の底部自在パネル２Ａを、通しボルトを中心に平面略Ｌ字状に開き、互いに有するコーナー金物に互いの横成木群の結合孔を結合ボルト２Ｂにより結合すること。
【０００５】
２．中間部枠３は、中間部自在パネル３Ａが二枚と、結合ボルト３Ｂから構成され、
Ａ．中間部自在パネル３Ａは、中間部正面パネル３Ｃと、中間部側面パネル３Ｄと、通しボルト３Ｅにより構成され、
ａ．中間部正面パネル３Ｃは、丸太、丸棒、角材等の木製柱状部材でなる横成木群３Ｃ１と、縦成木群３Ｃ２と、エキスパンドメタル・金網・プラスチックネット・吸出し防止材等の流出防止材３Ｃ３から構成され、横成木群３Ｃ１は、上部横成木３Ｃ１１と、上下連結横成木３Ｃ１４と、その間に適数本の横成木３Ｃ１３、３Ｃ１３、３Ｃ１３．．．が所定間隔Ｈを存して並列状態に配列され、上下連結横成木３Ｃ１４には、枠同士の上下連結用孔３Ｇ１が前後方向に開設され、各横成木群３Ｃ１の左端近傍には、中間部自在パネル３Ａ同士の結合孔３Ｊが開設され、流出防止材３Ｃ３は、横成木群３Ｃ１の後面に釘、タッカー等で固定され、縦成木群３Ｃ２は、少なくとも１本以上の縦成木３Ｃ２１が、横成木群３Ｃ１に対して直角方向に、横成木群３Ｃ１の長さの概ね何等分かの位置で、流出防止材３Ｃ３の後面に配列され、ボルト等で横成木群３Ｃ１と固着され、この縦成木群３Ｃ２の上端は、上部横成木３Ｃ１１の上面より上方へ突出され、縦成木群３Ｃ２の上端近傍位置には枠同士を上下に連結する場合の上下連結用孔３Ｉが前後方向に開設されていること。
ｂ．中間部側面パネル３Ｄは、丸太、丸棒、角材等の木製柱状部材でなる横成木群３Ｄ１と、縦成木群３Ｄ２と、エキスパンドメタル・金網・プラスチックネット・吸出し防止材等の流出防止材３Ｄ３と、コーナー金物３Ｄ４から構成され、横成木群３Ｄ１は、上部横成木３Ｄ１１と、左右連結横成木３Ｄ１２と、下部横成木３Ｄ１４と、その間に適数本の横成木３Ｄ１３、３Ｄ１３．．．が所定間隔Ｈを存して並列状態に配列され、そして、左右連結横成木３Ｄ１２には、枠同士の左右連結用孔３Ｇ２が前後方向に開設され、流出防止材３Ｄ３は、横成木群３Ｄ１の後面に釘、タッカー等で固定され、縦成木群３Ｄ２は、少なくとも１本以上の縦成木３Ｄ２１が、横成木群３Ｄ１に対して直角方向に、横成木群３Ｄ１の長さの概ね何等分かの位置で流出防止材３Ｄ３の後面に配列され、ボルト等で横成木群３Ｄ１と固着され、この縦成木群３Ｄ２の上端は、上部横成木３Ｄ１１の上面より上方へ突出され、コーナー金物３Ｄ４は、中間部側面パネル３Ｄの横成木群３Ｄ１の後面右端近傍位置に、横成木群３Ｄ１に対して直角方向に、ボルトなどで横成木群３Ｄ１と固着され、コーナー金物３Ｄ４の横成木群３Ｄ１との固着面と直角の面には、中間部自在パネル３Ａ同士の結合のための結合孔３Ｄ４１が前後方向に開設されていること。
ｃ．中間部正面パネル３Ｃと中間部側面パネル３Ｄとは、通しボルト３Ｅにより折り畳み自在に結合されていること。
Ｂ．一方の中間部自在パネル３Ａと他方の中間部自在パネル３Ａを、通しボルトを中心に平面略Ｌ字状に開き、互いに有するコーナー金物に互いの横成木群の結合孔を結合ボルト３Ｂにより結合すること。
【０００６】
３．堤冠部枠４は、堤冠部自在パネル４Ａが二枚と、結合ボルト４Ｂから構成され、
Ａ．堤冠部自在パネル４Ａは、堤冠部正面パネル４Ｃと、堤冠部側面パネル４Ｄと、通しボルト４Ｅにより構成され、
ａ．堤冠部正面パネル４Ｃは、丸太、丸棒、角材等の木製柱状部材でなる横成木群４Ｃ１と、縦成木群４Ｃ２と、エキスパンドメタル・金網・プラスチックネット・吸出し防止材等の流出防止材４Ｃ３から構成され、横成木群４Ｃ１は、上部横成木４Ｃ１１と、上下連結横成木４Ｃ１４と、その間の適数本の横成木４Ｃ１３、４Ｃ１３、４Ｃ１３．．．が所定間隔Ｈを存して並列状態に配列され、上部横成木４Ｃ１１には堤冠保護材６１との緊結用孔４Ｌが適数個上下方向に開設され、上下連結横成木４Ｃ１４には、上下連結横成木４Ｃ１４の概ね何等分かの位置に、少なくとも２個以上の枠同士の上下連結用孔４Ｇ１が前後方向に開設され、横成木群４Ｃ１の左端近傍には、堤冠部自在パネル４Ａ同士の結合孔４Ｊが開設され、流出防止材４Ｃ３は、横成木群４Ｃ１の後面に釘、タッカー等で固定され、縦成木群４Ｃ２は、少なくとも１本以上の縦成木４Ｃ２１が、横成木群４Ｃ１に対して直角方向に、横成木群４Ｃ１の長さの概ね何等分かの位置で流出防止材４Ｃ３の後面に配列され、ボルト等で横成木群４Ｃ１と固着されていること。
ｂ．堤冠部側面パネル４Ｄは、丸太、丸棒、角材等の木製柱状部材でなる横成木群４Ｄ１と、縦成木群４Ｄ２と、エキスパンドメタル・金網・プラスチックネット・吸出し防止材等の流出防止材４Ｄ３と、コーナー金物４Ｄ４から構成され、横成木群４Ｄ１は、上部横成木４Ｄ１１と、左右連結横成木４Ｄ１２と、下部横成木４Ｄ１４と、その間に適数本の横成木４Ｄ１３、４Ｄ１３．．．が所定間隔Ｈを存して並列状態に配列され、左右連結横成木４Ｄ１２には、左右連結横成木４Ｄ１２の概ね何等分かの位置に、少なくとも２個以上の枠同士の左右連結用孔４Ｇ２が前後方向に開設され、流出防止材４Ｄ３は、横成木群４Ｄ１の後面に釘、タッカー等で固定され、縦成木群４Ｄ２は、少なくとも１本以上の縦成木４Ｄ２１が、横成木群４Ｄ１に対して直角方向に、横成木群４Ｄ１の長さの概ね何等分かの位置で流出防止材４Ｄ３の後面に配列され、ボルト等で横成木群４Ｄ１と固着され、コーナー金物４Ｄ４は、堤冠部側面パネル４Ｄの横成木群４Ｄ１の後面右端近傍位置に、横成木群４Ｄ１に対して直角方向に、ボルトなどで横成木群４Ｄ１と固着され、コーナー金物４Ｄ４の横成木群４Ｄ１との固着面と直角の面には、堤冠部自在パネル４Ａ同士の結合のための結合孔４Ｄ４１が前後方向に開設されていること。
ｃ．堤冠部正面パネル４Ｃと堤冠部側面パネル４Ｄとは、通しボルト４Ｅにより折り畳み自在に結合されていること。
Ｂ．一方の堤冠部自在パネル４Ａと他方の堤冠部自在パネル４Ａを、通しボルトを中心に平面略Ｌ字状に開き、互いに有するコーナー金物に互いの横成木群の結合孔を結合ボルト４Ｂにより結合すること。
【０００７】
４．後部枠５は、後部自在パネル５Ａが２枚と、結合ボルト５Ｂから構成され、
Ａ．後部自在パネル５Ａは、後部正面パネル５Ｃと、後部側面パネル５Ｄと、通しボルト５Ｅにより構成され、
ａ．後部正面パネル５Ｃは、丸太、丸棒、角材等の木製柱状部材でなる横成木群５Ｃ１と、縦成木群５Ｃ２と、エキスパンドメタル・金網・プラスチックネット・吸出し防止材等の流出防止材５Ｃ３から構成され、横成木群５Ｃ１は、上部横成木５Ｃ１１と、前後連結横成木５Ｃ１２と、下部横成木５Ｃ１４と、その間に適数本の横成木５Ｃ１３、５Ｃ１３．．．が所定間隔Ｈを存して並列状態に配列され、前後連結横成木５Ｃ１２には、前後連結横成木５Ｃ１２の概ね何等分かの位置に、少なくとも２個以上の枠同士の前後連結用孔５Ｇ１が前後方向に開設され、横成木群５Ｃ１の左端近傍位置には、後部自在パネル５Ａ同士の結合孔５Ｊが開設され、流出防止材５Ｃ３は、横成木群５Ｃ１の後面に釘、タッカー等で固定され、縦成木群５Ｃ２は、少なくとも１本以上の縦成木５Ｃ２１が、横成木群５Ｃ１に対して直角方向に、横成木群５Ｃ１の長さの概ね何等分かの位置で、流出防止材５Ｃ３の後面に配列されボルト等で横成木群５Ｃ１と固着され、この縦成木群５Ｃ２の上端は、上部横成木５Ｃ１１の上面より上方へ突出されていること。
ｂ．後部側面パネル５Ｄは、丸太、丸棒、角材等の木製柱状部材でなる横成木群５Ｄ１と、縦成木群５Ｄ２と、エキスパンドメタル・金網・プラスチックネット・吸出し防止材等の流出防止材５Ｄ３と、コーナー金物５Ｄ４から構成され、横成木群５Ｄ１は、上部横成木５Ｄ１１と、左右連結横成木５Ｄ１２と、下部横成木５Ｄ１４と、その間に適数本の横成木５Ｄ１３、５Ｄ１３．．．が所定間隔Ｈを存して並列状態に配列され、左右連結横成木５Ｄ１２には、左右連結横成木５Ｄ１２の概ね何等分かの位置に、少なくとも２個以上の枠同士の左右連結用孔５Ｇ２が前後方向に開設され、流出防止材５Ｄ３は横成木群５Ｄ１の後面に釘、タッカー等で固定され、縦成木群５Ｄ２は、少なくとも１本以上の縦成木５Ｄ２１が、横成木群５Ｄ１に対して直角方向に、横成木群５Ｄ１の長さの概ね何等分かの位置で流出防止材５Ｄ３の後面に配列され、ボルト等で横成木群５Ｄ１と固着され、コーナー金物５Ｄ４は、後部側面パネル５Ｄの横成木群５Ｄ１の後面右端近傍位置に、横成木群５Ｄ１に対して直角方向に、ボルトなどで横成木群５Ｄ１と固着され、コーナー金物５Ｄ４の横成木群５Ｄ１との固着面と直角の面には、後部自在パネル５Ａ同士の結合のための結合孔５Ｄ４１が前後方向に開設されていること。
ｃ．後部正面パネル５Ｃと、後部側面パネル５Ｄとは、通しボルト５Ｅにより折り畳み自在に結合されていること。
Ｂ．一方の後部自在パネル５Ａと他方の後部自在パネル５Ａを、通しボルトを中心に平面略Ｌ字状に開き、互いに有するコーナー金物に互いの横成木群の結合孔を結合ボルト５Ｂにより結合すること。
【０００８】
この場合、本発明を下記のように構成することができる。
Ａ．木製柱状部材には間伐材が使用されている。
Ｂ．木製柱状部材は燻煙で処理されている。
【０００９】
【発明の実施の形態】
以下、本発明の実施の形態を実施例にもとづき図面を参照して説明する。
【００１０】
１は本発明の木製谷止枠で、底部枠２と、中間部枠３と、堤冠部枠４と、後部枠５から構成されている。
１１は本発明の木製谷止枠を用いて得た谷止である。
この谷止は、渓床、渓岸等の安定に好適なものである。
【００１１】
そこで、底部枠２は、底部自在パネル２Ａが二枚と、結合ボルト２Ｂから構成されている。
Ａ．底部自在パネル２Ａは、底部正面パネル２Ｃと、底部側面パネル２Ｄと、通しボルト２Ｅにより構成されている。
ａ．底部正面パネル２Ｃは、丸太、丸棒、角材等の木製柱状部材でなる横成木群２Ｃ１と、縦成木群２Ｃ２と、エキスパンドメタル・金網・プラスチックネット・吸出し防止材等の流出防止材２Ｃ３から構成され、横成木群２Ｃ１は、上部横成木２Ｃ１１と、前後連結横成木２Ｃ１２と、下部横成木２Ｃ１４と、その間に適数本の横成木２Ｃ１３、２Ｃ１３．．．が所定間隔Ｈを存して並列状態に配列されている。
なお、所定間隔Ｈの寸法は使用される木製柱状部材の直径より少しく長い寸法に構成されている。
そして、前後連結横成木２Ｃ１２には、前後連結横成木２Ｃ１２の概ね何等分かの位置に、少なくとも２個以上の枠同士の前後連結用孔２Ｇ１が前後方向に開設されている。
また、各横成木群２Ｃ１の左端近傍には、底部自在パネル２Ａ同士の結合孔２Ｊが開設されている。
図示の場合、前後連結用孔２Ｇ１は３個であるが、横成木群の長さによって前後連結用孔２Ｇ１の数が増減するのは当然である。
この場合、縦成木群２Ｃ２の高さに応じて横成木２Ｃ１３、２Ｃ１３．．．の本数が増減するのは当然である。
【００１２】
流出防止材２Ｃ３は、所定寸法に裁断され、横成木群２Ｃ１の後面の所定位置に釘、タッカー等で固定されている。
縦成木群２Ｃ２は、少なくとも１本以上の縦成木２Ｃ２１が、横成木群２Ｃ１に対して直角方向に、横成木群２Ｃ１の長さの概ね何等分かの位置で流出防止材２Ｃ３の後面に配列され、ボルト等で横成木群２Ｃ１と固着されている。
さらに、この縦成木群２Ｃ２の上端は、上部横成木２Ｃ１１の上面より上方へ木製柱状部材の直径の２倍より少しく長い寸法分突出されている。
この場合、縦成木群２Ｃ２の上端が上部横成木２Ｃ１１の上面より突出されているのは、枠同士を上下に連結する場合に上になる枠の上下連結横成木が縦成木群に被さることにより枠同士の位置がズレず、連結しやすいためである。
縦成木群２Ｃ２の上端近傍位置には枠同士を上下に連結する場合の上下連結用孔２Ｉが前後方向に開設されている。
なお、縦成木群２Ｃ２の本数が横成木群の長さによって増減するのは当然である。
【００１３】
ｂ．底部側面パネル２Ｄは、丸太、丸棒、角材等の木製柱状部材でなる横成木群２Ｄ１と、縦成木群２Ｄ２と、エキスパンドメタル・金網・プラスチックネット・吸出し防止材等の流出防止材２Ｄ３と、コーナー金物２Ｄ４から構成され、横成木群２Ｄ１は、上部横成木２Ｄ１１と、左右連結横成木２Ｄ１２と、下部横成木２Ｄ１４と、その間に適数本の横成木２Ｄ１３、２Ｄ１３．．．が所定間隔Ｈを存して並列状態に配列されている。
なお、所定間隔Ｈの寸法は使用される木製柱状部材の直径より少しく長い寸法に構成されている。
そして、左右連結横成木２Ｄ１２には、左右連結横成木２Ｄ１２の概ね何等分かの位置に、少なくとも２個以上の枠同士の左右連結用孔２Ｇ２が前後方向に開設されている。
図示の場合、左右連結用孔２Ｇ２は３個であるが、横成木群２Ｄ１の長さによって左右連結用孔２Ｇ２の数が増減するのは当然である。
また、縦成木群の高さに応じて横成木２Ｄ１３、２Ｄ１３．．．の本数が増減するのは当然である。
【００１４】
流出防止材２Ｄ３は、所定寸法に裁断され、横成木群２Ｄ１の後面の所定位置に釘、タッカー等で固定されている。
縦成木群２Ｄ２は、少なくとも１本以上の縦成木２Ｄ２１が、横成木群２Ｄ１に対して直角方向に、横成木群２Ｄ１の長さの概ね何等分かの位置で流出防止材２Ｄ３の後面に配列され、ボルト等で横成木群２Ｄ１と固着されている。
さらに、この縦成木群２Ｄ２の上端は、上部横成木２Ｄ１１の上面より上方へ木製柱状部材の直径より少しく長い寸法分突出されている。
なお、縦成木群２Ｄ２の本数が横成木群の長さによって増減するのは当然である。
コーナー金物２Ｄ４は、底部側面パネル２Ｄの横成木群２Ｄ１の後面右端近傍位置に、横成木群２Ｄ１に対して直角方向に、また、上部横成木２Ｄ１１の上面とコーナー金物２Ｄ４の上端が揃うように配列され、ボルトなどで横成木群２Ｄ１と固着されている。
コーナー金物２Ｄ４の横成木群２Ｄ１との固着面と直角の面には、底部自在パネル２Ａ同士の結合のための結合孔２Ｄ４１が前後方向に開設されている。
ｃ．底部正面パネル２Ｃと底部側面パネル２Ｄとは、通しボルト２Ｅにより折り畳み自在に結合され、底部自在パネル２Ａを構成している。
【００１５】
Ｂ．二枚の底部自在パネル２Ａ、２Ａは、結合ボルト２Ｂを用いて下記のように組立てられている。
ａ．底部自在パネル２Ａ一枚を、底部自在パネル２Ａの底部正面パネルの下部横成木２Ｃ１４を下にして地面に対して垂直に、更に底部正面パネルと底部側面パネルの縦成木群を内側にして９０℃に開いて立てる。
ｂ．もう一枚の底部自在パネル２Ａを同様にして、底部自在パネル２Ａ二枚を、互いに向かい合わせ、四側面の底部枠を形成するように立てる。
ｃ．一方の底部自在パネル２Ａの底部正面パネルの各横成木群２Ｃ１の左端と他方の底部自在パネル２Ａの底部側面パネルの横成木群２Ｄ１の右端が、互いの所定間隔Ｈを介して、互い違いになるように組合わせる。
ｄ．一方の底部自在パネル２Ａの底部側面パネルの横成木群２Ｄ１の右端と他方の底部自在パネル２Ａの底部正面パネルの各横成木群２Ｃ１の左端が、互いの所定間隔Ｈを介して、互い違いになるように組合わせる。
ｅ．一方の底部自在パネル２Ａに固着されたコーナー金物２Ｄ４に開設された結合孔２Ｄ４１と、他方の底部自在パネル２Ａの底部正面パネルの横成木群２Ｃ１に開設された結合孔２Ｊを通して、結合ボルト２Ｂで結合する。
ｆ．一方の底部自在パネル２Ａの底部正面パネルの横成木群２Ｃ１に開設された結合孔２Ｊと、他方の底部自在パネル２Ａに固着されたコーナー金物２Ｄ４に開設された結合孔２Ｄ４１を通して、結合ボルト２Ｂで結合する。
結合ボルト２Ｂは、使用される木製柱状部材の直径により長さが変わるのは当然である。
この場合、結合ボルト２Ｂの頭内側にはナットの締め付けの際の供回りを防止するための突起があるとよい。
【００１６】
中間部枠３は、中間部自在パネル３Ａが二枚と、結合ボルト３Ｂから構成されている。
Ａ．中間部自在パネル３Ａは、中間部正面パネル３Ｃと、中間部側面パネル３Ｄと、通しボルト３Ｅにより構成されている。
ａ．中間部正面パネル３Ｃは、丸太、丸棒、角材等の木製柱状部材でなる横成木群３Ｃ１と、縦成木群３Ｃ２と、エキスパンドメタル・金網・プラスチックネット・吸出し防止材等の流出防止材３Ｃ３から構成され、横成木群３Ｃ１は、上部横成木３Ｃ１１と、上下連結横成木３Ｃ１４と、その間に適数本の横成木３Ｃ１３、３Ｃ１３、３Ｃ１３．．．が所定間隔Ｈを存して並列状態に配列されている。
なお、所定間隔Ｈの寸法は使用される木製柱状部材の直径より少しく長い寸法に構成されている。
上下連結横成木３Ｃ１４には、上下連結横成木３Ｃ１４の概ね何等分かの位置に、少なくとも２個以上の枠同士の上下連結用孔３Ｇ１が前後方向に開設されている。
また、各横成木群３Ｃ１の左端近傍には、中間部自在パネル３Ａ同士の結合孔３Ｊが開設されている。
なお、縦成木群３Ｃ２の高さに応じて横成木３Ｃ１３、３Ｃ１３．．．の本数が増減するのは当然である。
【００１７】
流出防止材３Ｃ３は、所定寸法に裁断され、横成木群３Ｃ１の後面の所定位置に釘、タッカー等で固定されている。
縦成木群３Ｃ２は、少なくとも１本以上の縦成木３Ｃ２１が、横成木群３Ｃ１に対して直角方向に、横成木群３Ｃ１の長さの概ね何等分かの位置で、流出防止材３Ｃ３の後面に配列され、ボルト等で横成木群３Ｃ１と固着されている。
さらに、この縦成木群３Ｃ２の上端は、上部横成木３Ｃ１１の上面より上方へ木製柱状部材の直径の２倍より少しく長い寸法分突出されている。
この場合、縦成木群３Ｃ２の上端が上部横成木３Ｃ１１の上面より突出されているのは、枠同士を上下に連結する場合に上になる枠の上下連結横成木が縦成木群に被さることにより枠同士の位置がズレず、連結しやすいためである。
縦成木群３Ｃ２の上端近傍位置には枠同士を上下に連結する場合の上下連結用孔３Ｉが前後方向に開設されている。
なお、縦成木群３Ｃ２の本数が横成木群の長さによって増減するのは当然である。
【００１８】
ｂ．中間部側面パネル３Ｄは、丸太、丸棒、角材等の木製柱状部材でなる横成木群３Ｄ１と、縦成木群３Ｄ２と、エキスパンドメタル・金網・プラスチックネット・吸出し防止材等の流出防止材３Ｄ３と、コーナー金物３Ｄ４から構成され、横成木群３Ｄ１は、上部横成木３Ｄ１１と、左右連結横成木３Ｄ１２と、下部横成木３Ｄ１４と、その間に適数本の横成木３Ｄ１３、３Ｄ１３．．．が所定間隔Ｈを存して並列状態に配列されている。
なお、所定間隔Ｈの寸法は使用される木製柱状部材の直径より少しく長い寸法に構成されている。
そして、左右連結横成木３Ｄ１２には、左右連結横成木３Ｄ１２の概ね何等分かの位置に、少なくとも２個以上の枠同士の左右連結用孔３Ｇ２が前後方向に開設されている。
図示の場合、左右連結用孔３Ｇ２は３個であるが、横成木群３Ｄ１の長さによって左右連結用孔３Ｇ２の数が増減するのは当然である。
また、縦成木群の高さに応じて横成木３Ｄ１３、３Ｄ１３．．．の本数が増減するのは当然である。
【００１９】
流出防止材３Ｄ３は、所定寸法に裁断され、横成木群３Ｄ１の後面の所定位置に釘、タッカー等で固定されている。
縦成木群３Ｄ２は、少なくとも１本以上の縦成木３Ｄ２１が、横成木群３Ｄ１に対して直角方向に、横成木群３Ｄ１の長さの概ね何等分かの位置で流出防止材３Ｄ３の後面に配列され、ボルト等で横成木群３Ｄ１と固着されている。
さらに、この縦成木群３Ｄ２の上端は、上部横成木３Ｄ１１の上面より上方へ木製柱状部材の直径より少しく長い寸法分突出されている。
なお、縦成木群３Ｄ２の本数が横成木群の長さによって増減するのは当然である。
コーナー金物３Ｄ４は、中間部側面パネル３Ｄの横成木群３Ｄ１の後面右端近傍位置に、横成木群３Ｄ１に対して直角方向に、また、上部横成木３Ｄ１１の上面とコーナー金物３Ｄ４の上端が揃うように配列され、ボルトなどで横成木群３Ｄ１と固着されている。
コーナー金物３Ｄ４の横成木群３Ｄ１との固着面と直角の面には、中間部自在パネル３Ａ同士の結合のための結合孔３Ｄ４１が前後方向に開設されている。
ｃ．中間部正面パネル３Ｃと中間部側面パネル３Ｄとは、通しボルト３Ｅにより折り畳み自在に結合され、中間部自在パネル３Ａを構成している。
【００２０】
Ｂ．二枚の中間部自在パネル３Ａは、結合ボルト３Ｂを用いて下記のように組立てられている。
ａ．中間部自在パネル３Ａ一枚を、中間部自在パネル３Ａの中間部正面パネルの上下連結横成木３Ｃ１４を下にして地面に対して垂直に、更に中間部正面パネルと中間部側面パネルの縦成木群を内側にして９０℃に開いて立てる。
ｂ．もう一枚の中間部自在パネル３Ａを同様にして、中間部自在パネル３Ａ二枚を互いに向かい合わせ、四側面の枠を形成するように立てる。
ｃ．一方の中間部自在パネル３Ａの中間部正面パネルの横成木群３Ｃ１の左端と他方の中間部自在パネル３Ａの中間部側面パネルの横成木群３Ｄ１の右端が、互いの所定間隔Ｈを介して、互い違いになるように組合わせる。
ｄ．一方の中間部自在パネル３Ａの中間部側面パネルの横成木群３Ｄ１の右端と他方の中間部自在パネル３Ａの中間部正面パネルの横成木群３Ｃ１の左端が、互いの所定間隔Ｈを介して、互い違いになるように組合わせる。
ｅ．一方の中間部自在パネル３Ａに固着されたコーナー金物３Ｄ４に開設された結合孔３Ｄ４１と、他方の中間部自在パネル３Ａの中間部正面パネルの横成木群３Ｃ１に開設された結合孔３Ｊを通して、結合ボルト３Ｂで結合する。
ｆ．一方の中間部自在パネル３Ａの中間部正面パネルの横成木群３Ｃ１に開設された結合孔３Ｊと、他方の中間部自在パネル３Ａに固着されたコーナー金物３Ｄ４に開設された結合孔３Ｄ４１を通して、結合ボルト３Ｂで結合する。
結合ボルト３Ｂは、使用される木製柱状部材の直径により長さが変わるのは当然である。
この場合、結合ボルト３Ｂの頭内側にはナットの締め付けの際の供回りを防止するための突起があるとよい。
【００２１】
堤冠部枠４は、堤冠部自在パネル４Ａが二枚と、結合ボルト４Ｂから構成されている。
Ａ．堤冠部自在パネル４Ａは、堤冠部正面パネル４Ｃと、堤冠部側面パネル４Ｄと、通しボルト４Ｅにより構成されている。
ａ．堤冠部正面パネル４Ｃは、丸太、丸棒、角材等の木製柱状部材でなる横成木群４Ｃ１と、縦成木群４Ｃ２と、エキスパンドメタル・金網・プラスチックネット・吸出し防止材等の流出防止材４Ｃ３から構成され、横成木群４Ｃ１は、上部横成木４Ｃ１１と、上下連結横成木４Ｃ１４と、その間の適数本の横成木４Ｃ１３、４Ｃ１３、４Ｃ１３．．．が所定間隔Ｈを存して並列状態に配列されている。
なお、所定間隔Ｈの寸法は使用される木製柱状部材の直径より少しく長い寸法に構成されている。
上部横成木４Ｃ１１には堤冠保護材６１との緊結用孔４Ｌが適数個上下方向に開設されている。
図示の場合、堤冠保護材６１との緊結用孔４Ｌの個数は４個であるが、横成木群の長さによって個数が変わるのは当然である。
上下連結横成木４Ｃ１４には、上下連結横成木４Ｃ１４の概ね何等分かの位置に、少なくとも２個以上の枠同士の上下連結用孔４Ｇ１が前後方向に開設されている。
また、横成木群４Ｃ１の左端近傍には、堤冠部自在パネル４Ａ同士の結合孔４Ｊが開設されている。
なお、縦成木群４Ｃ２の高さに応じて横成木４Ｃ１３、４Ｃ１３．．．の本数が増減するのは当然である。
【００２２】
流出防止材４Ｃ３は、所定寸法に裁断され、横成木群４Ｃ１の後面の所定位置に釘、タッカー等で固定されている。
縦成木群４Ｃ２は、少なくとも１本以上の縦成木４Ｃ２１が、横成木群４Ｃ１に対して直角方向に、横成木群４Ｃ１の長さの概ね何等分かの位置で流出防止材４Ｃ３の後面に配列され、ボルト等で横成木群４Ｃ１と固着されている。
この縦成木群４Ｃ２の上端は、上部横成木４Ｃ１１の上面と揃うように配列されている。
なお、縦成木群４Ｃ２の本数が横成木群の長さによって増減するのは当然である。
【００２３】
ｂ．堤冠部側面パネル４Ｄは、丸太、丸棒、角材等の木製柱状部材でなる横成木群４Ｄ１と、縦成木群４Ｄ２と、エキスパンドメタル・金網・プラスチックネット・吸出し防止材等の流出防止材４Ｄ３と、コーナー金物４Ｄ４から構成され、横成木群４Ｄ１は、上部横成木４Ｄ１１と、左右連結横成木４Ｄ１２と、下部横成木４Ｄ１４と、その間に適数本の横成木４Ｄ１３、４Ｄ１３．．．が所定間隔Ｈを存して並列状態に配列されている。
なお、所定間隔Ｈの寸法は使用される木製柱状部材の直径より少しく長い寸法に構成されている。
そして、左右連結横成木４Ｄ１２には、左右連結横成木４Ｄ１２の概ね何等分かの位置に、少なくとも２個以上の枠同士の左右連結用孔４Ｇ２が前後方向に開設されている。
図示の場合、左右連結用孔４Ｇ２は３個であるが、横成木群４Ｄ１の長さによって左右連結用孔４Ｇ２の数が増減するのは当然である。
また、縦成木群の高さに応じて横成木４Ｄ１３、４Ｄ１３．．．の本数が増減するのは当然である。
【００２４】
流出防止材４Ｄ３は、所定寸法に裁断され、横成木群４Ｄ１の後面の所定位置に釘、タッカー等で固定されている。
縦成木群４Ｄ２は、少なくとも１本以上の縦成木４Ｄ２１が、横成木群４Ｄ１に対して直角方向に、横成木群４Ｄ１の長さの概ね何等分かの位置で流出防止材４Ｄ３の後面に配列され、ボルト等で横成木群４Ｄ１と固着されている。
なお、縦成木群４Ｄ２の本数が横成木群の長さによって増減するのは当然である。
コーナー金物４Ｄ４は、堤冠部側面パネル４Ｄの横成木群４Ｄ１の後面右端近傍位置に、横成木群４Ｄ１に対して直角方向に、また、上部横成木４Ｄ１１の上面とコーナー金物４Ｄ４の上端が揃うように配列され、ボルトなどで横成木群４Ｄ１と固着されている。
コーナー金物４Ｄ４の横成木群４Ｄ１との固着面と直角の面には、堤冠部自在パネル４Ａ同士の結合のための結合孔４Ｄ４１が前後方向に開設されている。
ｃ．堤冠部正面パネル４Ｃと堤冠部側面パネル４Ｄとは、通しボルト４Ｅにより折り畳み自在に結合され、堤冠部自在パネル４Ａを構成している。
【００２５】
Ｂ．二枚の堤冠部自在パネル４Ａは、結合ボルト４Ｂを用いて下記のように組立てられている。
ａ．堤冠部自在パネル４Ａ一枚を、堤冠部自在パネル４Ａの堤冠部正面パネルの上下連結横成木４Ｃ１４を下にして地面に対して垂直に、更に堤冠部正面パネルと堤冠部側面パネルの縦成木群を内側にして９０℃に開いて立てる。
ｂ．もう一枚の堤冠部自在パネル４Ａを同様にして、堤冠部自在パネル４Ａ二枚を、互いに向かい合わせ、四側面の枠を形成するように立てる。
ｃ．一方の堤冠部自在パネル４Ａの堤冠部正面パネルの横成木群４Ｃ１の左端と他方の堤冠部自在パネル４Ａの堤冠部側面パネルの横成木群４Ｄ１の右端が、互いの所定間隔Ｈを介して、互い違いになるように組合わせる。
ｄ．一方の堤冠部自在パネル４Ａの堤冠部側面パネルの横成木群４Ｄ１の右端と他方の堤冠部自在パネル４Ａの堤冠部正面パネルの各横成木群４Ｃ１の左端が、互いの所定間隔Ｈを介して、互い違いになるように組合わせる。
ｅ．一方の堤冠部自在パネル４Ａに固着されたコーナー金物４Ｄ４に開設された結合孔４Ｄ４１と、他方の堤冠部自在パネル４Ａの堤冠部正面パネルの横成木群４Ｃ１に開設された結合孔４Ｊを通して、結合ボルト４Ｂで結合する。
ｆ．一方の堤冠部自在パネル４Ａの堤冠部正面パネルの横成木群４Ｃ１に開設された結合孔４Ｊと、他方の堤冠部自在パネル４Ａに固着されたコーナー金物４Ｄ４に開設された結合孔４Ｄ４１を通して、結合ボルト４Ｂで結合する。
結合ボルト４Ｂは、使用される木製柱状部材の直径により長さが変わるのは当然である。
この場合、結合ボルト４Ｂの頭内側にはナットの締め付けの際の供回りを防止するための突起があるとよい。
【００２６】
後部枠５は、後部自在パネル５Ａが２枚と、結合ボルト５Ｂから構成されている。
Ａ．後部自在パネル５Ａは、後部正面パネル５Ｃと、後部側面パネル５Ｄと、通しボルト５Ｅにより構成されている。
ａ．後部正面パネル５Ｃは、丸太、丸棒、角材等の木製柱状部材でなる横成木群５Ｃ１と、縦成木群５Ｃ２と、エキスパンドメタル・金網・プラスチックネット・吸出し防止材等の流出防止材５Ｃ３から構成され、横成木群５Ｃ１は、上部横成木５Ｃ１１と、前後連結横成木５Ｃ１２と、下部横成木５Ｃ１４と、その間に適数本の横成木５Ｃ１３、５Ｃ１３．．．が所定間隔Ｈを存して並列状態に配列されている。
なお、所定間隔Ｈの寸法は使用される木製柱状部材の直径より少しく長い寸法に構成されている。
そして、前後連結横成木５Ｃ１２には、前後連結横成木５Ｃ１２の概ね何等分かの位置に、少なくとも２個以上の枠同士の前後連結用孔５Ｇ１が前後方向に開設されている。
また、横成木群５Ｃ１の左端近傍位置には、後部自在パネル５Ａ同士の結合孔５Ｊが開設されている。
図示の場合、前後連結用孔５Ｇ１は３個であるが、横成木群の長さによって前後連結用孔５Ｇ１の数が増減するのは当然である。
なお、縦成木群５Ｃ２の高さに応じて横成木５Ｃ１３、５Ｃ１３．．．の本数が増減するのは当然である。
【００２７】
流出防止材５Ｃ３は、所定寸法に裁断され、横成木群５Ｃ１の後面の所定位置に釘、タッカー等で固定されている。
縦成木群５Ｃ２は、少なくとも１本以上の縦成木５Ｃ２１が、横成木群５Ｃ１に対して直角方向に、横成木群５Ｃ１の長さの概ね何等分かの位置で、流出防止材５Ｃ３の後面に配列されボルト等で横成木群５Ｃ１と固着されている。
さらに、この縦成木群５Ｃ２の上端は、上部横成木５Ｃ１１の上面より上方へ木製柱状部材の直径より少しく長い寸法分突出されている。
なお、縦成木群５Ｃ２の本数が横成木群の長さによって増減するのは当然である。
【００２８】
ｂ．後部側面パネル５Ｄは、丸太、丸棒、角材等の木製柱状部材でなる横成木群５Ｄ１と、縦成木群５Ｄ２と、エキスパンドメタル・金網・プラスチックネット・吸出し防止材等の流出防止材５Ｄ３と、コーナー金物５Ｄ４から構成され、横成木群５Ｄ１は、上部横成木５Ｄ１１と、左右連結横成木５Ｄ１２と、下部横成木５Ｄ１４と、その間に適数本の横成木５Ｄ１３、５Ｄ１３．．．が所定間隔Ｈを存して並列状態に配列されている。
なお、所定間隔Ｈの寸法は使用される木製柱状部材の直径より少しく長い寸法に構成されている。
そして、左右連結横成木５Ｄ１２には、左右連結横成木５Ｄ１２の概ね何等分かの位置に、少なくとも２個以上の枠同士の左右連結用孔５Ｇ２が前後方向に開設されている。
図示の場合、左右連結用孔５Ｇ２は３個であるが、横成木群５Ｄ１の長さによって左右連結用孔５Ｇ２の数が増減するのは当然である。
この場合、縦成木群の高さに応じて横成木５Ｄ１３、５Ｄ１３．．．の本数が増減するのは当然である。
【００２９】
流出防止材５Ｄ３は、所定寸法に裁断され、横成木群５Ｄ１の後面の所定位置に釘、タッカー等で固定されている。
縦成木群５Ｄ２は、少なくとも１本以上の縦成木５Ｄ２１が、横成木群５Ｄ１に対して直角方向に、横成木群５Ｄ１の長さの概ね何等分かの位置で流出防止材５Ｄ３の後面に配列され、ボルト等で横成木群５Ｄ１と固着されている。
さらに、この縦成木群５Ｄ２の上端は、上部横成木５Ｄ１１の上面と揃うように配列されている。
なお、縦成木群５Ｄ２の本数が横成木群の長さによって増減するのは当然である。
コーナー金物５Ｄ４は、後部側面パネル５Ｄの横成木群５Ｄ１の後面右端近傍位置に、横成木群５Ｄ１に対して直角方向に、また、上部横成木５Ｄ１１の上面とコーナー金物５Ｄ４の上端が揃うように配列され、ボルトなどで横成木群５Ｄ１と固着されている。
コーナー金物５Ｄ４の横成木群５Ｄ１との固着面と直角の面には、後部自在パネル５Ａ同士の結合のための結合孔５Ｄ４１が前後方向に開設されている。
ｃ．後部正面パネル５Ｃと、後部側面パネル５Ｄとは、通しボルト５Ｅにより折り畳み自在に結合され、後部自在パネル５Ａを構成している。
【００３０】
Ｂ．二枚の後部自在パネル５Ａは、結合ボルト５Ｂを用いて下記のように組立てられている。
ａ．後部自在パネル５Ａ一枚を、後部自在パネル５Ａの後部正面パネルの下部横成木５Ｃ１４を下にして地面に対して垂直に、更に後部正面パネルと後部側面パネルの縦成木群を内側にして９０℃に開いて立てる。
ｂ．もう一枚の後部自在パネル５Ａを同様にして、後部自在パネル５Ａ二枚を互いに向かい合わせ、四側面の枠を形成するように立てる。
ｃ．一方の後部自在パネル５Ａの後部正面パネルの横成木群５Ｃ１の左端と他方の後部自在パネル５Ａの後部側面パネルの横成木群５Ｄ１の右端が、互いの所定間隔Ｈを介して、互い違いになるように組合わせる。
ｄ．一方の後部自在パネル５Ａの後部側面パネルの横成木群５Ｄ１の右端と他方の後部自在パネル５Ａの後部正面パネルの各横成木群５Ｃ１の左端が、互いの所定間隔Ｈを介して、互い違いになるように組合わせる。
ｅ．一方の後部自在パネル５Ａに固着されたコーナー金物５Ｄ４に開設された結合孔５Ｄ４１と、他方の後部自在パネル５Ａの後部正面パネルの横成木群５Ｃ１に開設された結合孔５Ｊを通して、結合ボルト５Ｂで結合する。
ｆ．一方の後部自在パネル５Ａの後部正面パネルの横成木群５Ｃ１に開設された結合孔５Ｊと、他方の後部自在パネル５Ａに固着されたコーナー金物５Ｄ４に開設された結合孔５Ｄ４１を通して、結合ボルト５Ｂで結合する。
結合ボルト５Ｂは、使用される木製柱状部材の直径により長さが変わるのは当然である。
この場合、結合ボルト５Ｂの頭内側にはナットの締め付けの際の供回りを防止するための突起があるとよい。
【００３１】
木製谷止枠を用いた谷止の組立方法は、下記の各工程によって構成されている。
第１工程
木製谷止枠１を構成する底部枠２と、中間部枠３と、堤冠部枠４と、後部枠５を設置する場所の目的等の設計割付に基づき、現地測量を行う。
第２工程
設計割付及び現地測量に従って、設置場所の床掘りを行う。
第３工程
あらかじめパネル化され現場に搬入された底部自在パネル２Ａと、後部自在パネル５Ａと、現地での取付けとなる結合ボルト２Ｂ、５Ｂとで、底部枠２及び後部枠５を組立てる。
組立場所は現地組立てに適した場所が確保可能ならばその場所で行い、吊り込んで設置する方が望ましい。
第４工程
設計割付に従い組立てた底部枠２及び後部枠５を配列し、連結ボルトＭを用いて、底部枠２同士を横連結、底部枠２と後部枠５を前後連結、更に後部枠５同士を横連結する。
設計割付によっては、後部枠５を設置しない場合がある。
第５工程
設計仕様に従い、底部枠２及び後部枠５に中詰材を投入・転圧し埋め戻しする。
第６工程
あらかじめパネル化され現場に搬入された中間部自在パネル３Ａと、現地での取付けとなる結合ボルト３Ｂとで、中間部枠３を組立てる。
組立場所は現地組立に適した場所が確保可能ならばその場所で行い、吊り込んで設置する方が望ましい。
【００３２】
第７工程
設計割付に従い組立てた中間部枠３を底部枠２上に配列し、連結ボルトＭを用いて、中間部枠３と底部枠２を上下連結し、更に中間部枠３同士を横連結する。
設計割付によっては、中間部枠３の最左端及び最右端に新たに底部枠２を並列配列し、中間部枠３と底部枠２を横連結する場合がある。
第８工程
設計仕様に従い、中間部枠３に中詰材を投入・転圧し埋め戻しする。
第９工程
あらかじめパネル化され現場に搬入された堤冠部自在パネル４Ａと、現地での取付けとなる結合ボルト４Ｂとで、堤冠部枠４を組立てる。
組立場所は現地組立に適した場所が確保可能ならばその場所で行い、吊り込んで設置する方が望ましい。
第１０工程
設計割付に従い組立てた堤冠部枠４を中間部枠３上に配列し、連結ボルトＭを用いて、中間部枠３と堤冠部枠４を上下連結し、更に堤冠部枠４同士を横連結する。
設計割付によっては、中間部枠３の最左端、最右端に並列配列された底部枠２の上に、また、中間部枠３を設置しないで底部枠２の上に堤冠部枠４を設置し、堤冠部枠４と底部枠２を上下連結したり、堤冠部枠と中間部枠を横連結する場合がある。
また、堤冠部枠４のみの設置の場合がある。
第１１工程
設計仕様に従い、堤冠部枠４に中詰材を投入・転圧し埋め戻しする。
第１２工程
堤冠部枠４の上部横成木４Ｃ１１、４Ｃ１１の上に、現地での取付けとなる適数本の堤冠保護材６１、６１．．．を、緊結用孔６１１、４Ｌを通して連結ボルトＭを用いて緊結する。
堤冠保護材の本数は、横成木群４Ｃ１の長さによって増減するのは当然である。
第１３工程
設計仕様に従い、最終埋め戻しを行う。
【００３３】
【実施例】
さらに、以下の様な条件で実験した結果、きわめて良好な効果が得られた。
１．枠の組立と前後・左右・上下の連結を、底部枠２と中間部枠３と後部枠５について、図１、１９、２０、２１を参照しながら説明する。
底部自在パネル２Ａ二枚は、双方の底部側面パネル２Ｄに取付けられたコーナー金物２Ｄ４に開設された結合孔２Ｄ４１、２Ｄ４１と、双方の底部正面パネル２Ｃの横成木群２Ｃ１に開設された結合孔２Ｊ、２Ｊ．．．を通して、結合ボルトＢで結合するように構成されている。
底部枠２と底部枠２の後面に配列された後部枠５とは、底部枠２の前後連結横成木２Ｃ１２に開設された前後連結用孔２Ｇ１と後部枠５の前後連結横成木５Ｃ１２に開設された前後連結用孔５Ｇ１とを通して結合ボルトＭで前後連結され、隣合う底部枠２と底部枠２は、互いの左右連結横成木２Ｄ１２、２Ｄ１２に開設された左右連結用孔２Ｇ２、２Ｇ２同士を通して結合ボルトＭで左右連結され、中間部枠３は、底部枠２の縦成木群２Ｃ２をガイドにして、底部枠２の上に重ねられ、底部枠２の縦成木群２Ｃ２に開設された上下連結用孔２Ｉと、中間部枠３の上下連結横成木３Ｃ１４に開設された上下連結用孔３Ｇ１とを通して、連結ボルトＭで上下連結されるように構成されている。
２．木製柱状部材には間伐材が使用されている。
３．木製柱状部材は、木材を炭化する場合に発生する煙（燻煙）から採取される燻液（または木酢液）と燻煙で処理されている。
また、砒素、クロム等の有害物質を含むＣＣＡの代りに、砒素、クロムを含まず、薬剤の水への溶脱がほとんど無く、ＪＡＳ製品にも採用されている防腐薬剤で加圧注入されている。
４．木製谷止枠の高さは１０００ｍｍ〜２０００ｍｍ、巾は１５００ｍｍ〜２０００ｍｍである。
【００３４】
【発明の効果】
本発明は、上述の通り構成されているので次に記載する効果を奏する。
１．木製部材を土木用資材として使用する場合の課題として、腐朽等による耐久性の問題があるが、近年、防腐技術の進歩により無公害でかつ耐用年数の大幅な延長が可能な薬剤または技術が開発されている。
Ａ．燻煙処理
木材を炭化する場合に発生する煙（燻煙）から採取される燻液（または木酢液）と燻煙で木製柱状部材を燻煙処理する技術であり、木材成分を利用しているため全く無公害である。
Ｂ．防腐材の加圧注入処理
砒素、クロム等の有害物質を含むＣＣＡの代りに、砒素、クロムを含まず、薬剤の水への溶脱がほとんど無く、ＪＡＳ製品にも採用されている防腐薬剤で木製柱状部材を加圧注入しているため、極めて低公害である。
Ｃ．これらの処理による木製柱状部材を使用する事により、自然環境に優しく、かつ要求される耐久性に対応できる。使用目的や要求される耐久性によっては無処理の木製柱状部材の使用も可能である。
【００３５】
２．パネル構造の説明、枠体として結合する構造の説明
Ａ．パネル構造の説明
パネルは、中詰材の種類によって異なる流出防止材と、木製柱状部材とからなる正面パネルと、コーナー金物と中詰材の種類によって異なる流出防止材と木製柱状部材とからなる側面パネルと、通しボルトにより構成されている。
パネルは、組立てたときに、９０°の角度をもつ正面と側面が折り畳まれている自在パネルであり、使用目的によって、底部自在パネル、中間部自在パネル、堤冠部自在パネル、後部自在パネルの４種類がある。
折り畳まれていることによって、輸送時のパネル容積を最小限にすることが可能であり、輸送効率を高める。
Ｂ．枠体として結合する構造
同種の自在パネル２枚を現地にて、それぞれ折り畳んであった面を縦成木を内側にして９０°に開き、相対するパネルの部材の所定の位置で結合ボルトを用いて枠体に組立てる。
コーナー金物により、パネル同士の結合時の枠体の歪みを防ぐことができる。
結合孔をあらかじめ部材に開けておくことによって、パネル同士の結合時の孔開け作業が省かれる。
堤冠部枠は、枠体組立後、水の越流時の中詰材の流失を抑えるための堤冠保護材が緊結される。
【００３６】
３．枠体を前後、左右、上下に連結させる方法
Ａ．前後の連結
前後の枠体の正面パネルの前後連結横成木に開設された前後連結用孔同士を通して、連結ボルトＭで左右連結される。
連結用孔をあらかじめ部材に開けておくことよって、枠体同士の連結時の孔開け作業が省かれる。
Ｂ．左右の連結
隣り合う枠体の側面パネルの左右連結横成木に開設された左右連結用孔同士を通して、連結ボルトＭで左右連結される。
Ｃ．上下の連結
枠体は、下の枠体の前後の正面パネルの縦成木をガイドにして、上の枠体を重ね、下の枠体の前後の正面パネルの縦成木に開設された上下連結用孔と、上の枠体の前後の正面パネルの横成木に開設された上下連結用孔とを通して、連結ボルトＭで上下連結される。
連結用孔をあらかじめ部材に開けておくことよって、枠体同士の連結時の孔開け作業が省かれる。
【００３７】
４．枠構造の概要、外観及びそれらによる渓床（谷底）、渓岸の安定の説明
Ａ．枠構造の概要
木製柱状部材、流出防止材で４側面が構成されている枠である。
部材同士は、ボルトなどの金物で結合されている。
Ｂ．外観
植生の回復が容易で、木製部材を使用しているので、現行に多く見られるコンクリートや鋼製の構造物と異なり、景観を損なわず自然環境とよく調和している。
Ｃ．渓床（谷底）、渓岸の安定
個々の枠体に中詰材を入れた状態の自重及び上下、左右、前後に枠同士を連結することにより、転倒・滑動に対する安定計算がなされている。
【００３８】
５．前記のごとき枠構造を、現地で施工する場合、搬入は容易であるが、現地における施工に時間と人工を要し、結果として極めてコストの高いものとなる。
また、あらかじめ枠構造としたものを現地搬入すれば、施工時間、人工は節減できるが、枠体の輸送コストは著しく上昇する。
これらの課題解決のため、下記のごとく木製柱状部材からなるパネルで二面を構成する部材を折り畳んだ状態で現地搬入し、現地において所定角度に開いた状態で同種パネル同士を結合し枠体とすることによって、輸送効率の向上を図ると共に、現地施工時間と人工の節減を図る。
６．間伐材とその有効利用についての説明
間伐材は、林業生産に伴なって必然的に発生するものであり、その発生率は、地域、樹種によっては主材を上回っている。
しかしながら、間伐材は径が小さく、利用範囲が限られているため、各地方自治体はその利用方法の模索に懸命であるのが現状である。
一方、地球環境の保護という観点からも、資源の有効活用が図られなければならない。
このような状況下で、間伐材の有効活用は各地方自治体のみならず、国としての重要課題でもある。
本発明は、林業生産に伴なって必然的に発生するにもかかわらず、利用範囲の限られている間伐材の利用拡大、貴重な資源の有効活用を図れるものである。
【００３９】
７．これら枠構造物を現地に固定させる場合、従来、玉石あるいは詰め石材を別途搬入し、枠体内部に充填する方法が一般的であったが、これら玉石、詰め石材の入手難、コスト高等の課題は現地の採掘土を１００％活用することで解決する。
現地の採掘土を活用することで、地質環境の変化が避けられる。
８．地質環境が変化しない為、現地に植生していた草木類あるいは同類のものを植栽することによって自然環境の変化が防げる。また、木製部材が露出していたとしても周辺の自然環境との調和には問題がない。
９．この他、安価に製造できる、部品点数が少ないので組立てが容易である、経済的であるなどの効果をも有するものである。
【図面の簡単な説明】
【図１】  底部枠の分解斜視図である。
【図２】  底部枠における底部正面パネルを中心に見た斜視図である。
【図３】  底部枠における底部側面パネルを中心に見た斜視図である。
【図４】  底部枠の折り畳んだ状態の斜視図である。
【図５】  中間部枠の分解斜視図である。
【図６】  中間部枠における中間部正面パネルを中心に見た斜視図である。
【図７】  中間部枠における中間部側面パネルを中心に見た斜視図である。
【図８】  中間部枠の折り畳んだ状態の斜視図である。
【図９】  堤冠部枠の分解斜視図である。
【図１０】  堤冠部枠における堤冠部正面パネルを中心に見た斜視図である。
【図１１】  堤冠部枠における堤冠部側面パネルを中心に見た斜視図である。
【図１２】  堤冠部枠の折り畳んだ状態の斜視図である。
【図１３】  後部枠の分解斜視図である。
【図１４】  後部枠における後部正面パネルを中心に見た斜視図である。
【図１５】  後部枠における後部側面パネルを中心に見た斜視図である。
【図１６】  後部枠の折り畳んだ状態の斜視図である。
【図１７】  コーナー金物の斜視図である。
【図１８】  堤冠部枠における堤冠保護材の取付け状態を示す分解斜視図である。
【図１９】  前後の連結状態を説明する略図的斜視図である。
【図２０】  左右の連結状態を説明する略図的斜視図である。
【図２１】  左右の連結状態を説明する略図的斜視図である。
【図２２】  谷止の正面図である。
【図２３】  谷止の平面図である。
【図２４】  谷止の右側から見た縦断面図である。
【符号の説明】
１  木製谷止枠
２  底部枠
２Ａ  底部自在パネル
２Ｂ  結合ボルト
３  中間部枠
３Ａ  中間部自在パネル
３Ｂ  結合ボルト
４  堤冠部枠
４Ａ  堤冠部自在パネル
４Ｂ  結合ボルト
５  後部枠
５Ａ  後部自在パネル
５Ｂ  結合ボルト
１１  谷止
【図１】
0004171555.tif 000002
【図２】
0004171555.tif 000003
【図３】
0004171555.tif 000004
【図４】
0004171555.tif 000005
【図５】
0004171555.tif 000006
【図６】
0004171555.tif 000007
【図７】
0004171555.tif 000008
【図８】
0004171555.tif 000009
【図９】
0004171555.tif 000010
【図１０】
0004171555.tif 000011
【図１１】
0004171555.tif 000012
【図１２】
0004171555.tif 000013
【図１３】
0004171555.tif 000014
【図１４】
0004171555.tif 000015
【図１５】
0004171555.tif 000016
【図１６】
0004171555.tif 000017
【図１７】
0004171555.tif 000018
【図１８】
0004171555.tif 000019
【図１９】
0004171555.tif 000020
【図２０】
0004171555.tif 000021
【図２１】
0004171555.tif 000022
【図２２】
0004171555.tif 000023
【図２３】
0004171555.tif 000024
【図２４】
0004171555.tif 000025